(57)【要約】      （修正有）【課題】様々な態様で展示できるとともに、異なる図柄を重ね合わせることで、様々な図柄を楽しむことができる観賞用物品を提供する。【解決手段】台紙と、この台紙に着脱自在に接着された複数枚の図柄シート４とで構成され、前記図柄シートは、前記台紙と略同形状で透明なシート本体と、前記シート本体の一側面に設けられ、前記シート本体又は前記台紙に着脱自在に接着可能な接着面と、前記シート本体に印刷された図柄２とで構成されていることを特徴とする観賞用物品１。【選択図】図１
0003234539.tif 000002
【実用新案登録請求の範囲】
【請求項１】
台紙と、この台紙に着脱自在に接着された単数又は複数の図柄シートとで構成され、前記図柄シートは、前記台紙と略同形状で透明なシート本体と、前記シート本体に設けられ、前記シート本体又は前記台紙に着脱自在に接着可能な接着面と、前記シート本体に印刷された図柄とで構成されている観賞用物品。
【請求項２】
前記図柄シートは、複数重ね合わせられており、前記図柄シートにはそれぞれ異なる図柄が印刷されていることを特徴とする請求項１に記載の観賞用物品。
【請求項３】
前記図柄は、任意の色に着色されていることを特徴とする請求項１又は請求項２のいずれかに記載の観賞用物品。
【請求項４】
前記台紙には図柄が印刷されていることを特徴とする請求項１乃至請求項３のいずれかに記載の観賞用物品。
【考案の詳細な説明】
【技術分野】
【０００１】
本考案は主に、植物、風景、人物、動物等の写真やイラストを用いた観賞用物品に関する。
【背景技術】
【０００２】
従来の植物、風景、人物、動物等の写真やイラストを用いた観賞用物品としては、「単数又は積層された複数の透明板を備え、  前記単数又は複数の透明板の表裏の主面のうち、鑑賞側からの深さの異なる２ 以上の主面に、それぞれ画像が印刷されている鑑賞用構造体」（特許文献１）等が知られている。
【０００３】
しかしながら、特許文献１では、複数の図柄を重ねて図柄を立体的に表すことができるものの、立体感を出すためにある程度の厚みが必要となり、コンパクトに展示できるものではなかった。
また、全く異なる図柄を組み合わせて楽しむことができるものではなかった。
【先行技術文献】
【特許文献】
【０００４】
【特許文献１】特開２０１７−８７４７０号公報
【考案の概要】
【考案が解決しようとする課題】
【０００５】
本考案は以上のような従来の欠点に鑑み、様々な態様で展示できるとともに、異なる図柄を重ね合わせることで、様々な図柄を楽しむことができる観賞用物品を提供することを目的としている。
【０００６】
本考案の前記ならびにそのほかの目的と新規な特徴は次の説明を添付図面と照らし合わせて読むと、より完全に明らかになるであろう。
ただし、図面はもっぱら解説のためのものであって、本考案の技術的範囲を限定するものではない。
【課題を解決するための手段】
【０００７】
上記目的を達成するために、本考案の請求項１に記載の観賞用物品は、台紙と、この台紙に着脱自在に接着された単数又は複数の図柄シートとで構成され、前記図柄シートは、前記台紙と略同形状で透明なシート本体と、前記シート本体に設けられ、前記シート本体又は前記台紙に着脱自在に接着可能な接着面と、前記シート本体に印刷された図柄とで構成されていることを特徴とする。
【０００８】
請求項２に記載の観賞用物品の前記図柄シートは、複数個重ね合わせられており、前記図柄シートにはそれぞれ異なる図柄が印刷されていることを特徴とする。
請求項３に記載の観賞用物品の前記図柄は、任意の色に着色されていることを特徴とする。
請求項４に記載の観賞用物品の前記台紙には、図柄が印刷されていることを特徴とする。
【考案の効果】
【０００９】
以上の説明から明らかなように、本考案にあっては次に列挙する効果が得られる。
（１）請求項１に記載の考案においては、台紙に図柄を印刷したシートを接着しているので、コンパクトな観賞用物品を構成することができる。
したがって、様々な態様で様々な場所に展示することができる。
（２）請求項２に記載の考案においては、前記（１）と同様な効果が得られるとともに、異なる図柄が印刷された図柄シートを複数用いることにより、図柄の組み合わせを楽しむことができる。
（３）また、図柄シートを他の図柄が印刷された図柄シートに取り替える、複数の図柄シートのうち任意の図柄シートを除く、新たな図柄シートを加える等により、様々な図柄にカスタマイズすることができる。
（４）請求項３に記載の考案においては、前記（１）〜（３）と同様な効果が得られるとともに、図柄に着色することで、もとのイラストや写真とは異なる印象の図柄とすることができる。
（５）請求項４に記載の考案においては、前記（１）〜（４）と同様な効果が得られるとともに、台紙にも図柄を印刷することで、さらに様々な図柄の組み合わせを楽しむことができる。
【図面の簡単な説明】
【００１０】
図１乃至図３は本考案の第１の実施形態を示す説明図である。
図４及び図５は本考案の第２の実施形態示す説明図である。
【図１】第１の実施形態の観賞用物品の正面図。
【図２】第１の実施形態の観賞用物品の分解斜視図。
【図３】図柄シートの説明図。（ａ）一方の図柄シート。（ｂ）他方の図柄シート。
【図４】第２の実施形態の観賞用物品の正面図。
【図５】第２の実施形態の観賞用物品の分解斜視図。
【考案を実施するための形態】
【００１１】
以下、図面に示す本考案を実施するための形態により、本考案を詳細に説明する。
図１乃至図３に示す本考案を実施するための第１の形態において、１は植物、風景、人物、動物等の写真やイラスト等の図柄２が印刷された観賞用物品である。
【００１２】
この観賞用物品１は、台紙３と、この台紙３に着脱自在に接着された複数枚の図柄シート４（例えば４ａ、４ｂ）とで構成されている。
【００１３】
台紙３は、本実施形態では、平面視矩形状又は方形状の紙製のシート（厚紙）を用いている。なお、台紙３としては紙製のシートの他にも樹脂板、金属板、セラミック板等を適宜用いることができる。
【００１４】
また、光を透過するような台紙、例えばトレーシングペーパーのような半透明状のシートを台紙３としてもよい。
形状についても本実施形態では、四角形状としているが、円形状、多角形状等さまざまな形状とすることができる。
【００１５】
前記図柄シート４は、前記台紙３と略同形状で透明なシート本体５と、前記シート本体５の一側面に設けられ、前記シート本体又は前記台紙に着脱自在に接着可能な接着面６と、前記シート本体５に印刷された図柄２とで構成されている。
シート本体５は、樹脂製の透明シートを用いており、台紙３と同形状、本実施形態では、四角形状に形成されている。
【００１６】
このシート本体５は、通常、一方の面が他方の面より光沢を有しているため、光沢を有している面（一方の面）を表側とし、裏面（他方の面）に図柄を印刷することが望ましい。
【００１７】
この接着面６は、シート本体５の裏面に設けられており、ある程度の粘着力を有し、シート本体５同士又は台紙３と複数回接着と剥離（着脱）を繰り返してもシート本体５同士又は台紙３と接着可能な接着剤等を塗布して形成されている。
【００１８】
図柄２は、本実施形態では、風景、植物を撮影した写真がシート本体５の裏面に印刷されている。シート本体５に図柄２を印刷した後、接着剤を塗布して接着面６を構成することが望ましい。また、複数の図柄シート４を重ね合わせて用いる場合には、それぞれのシート本体５に印刷される図柄２は異なるものとすることが望ましい。これにより、図柄シート４を他の図柄２が印刷されているものと取り替える、図柄シート４を追加する、図柄シート４の枚数を減らす等により、あらわれる図柄２が変化し、容易に様々な図柄２を楽しむことができる。
【００１９】
なお、単数の図柄シート４のみを用いる場合には、台紙３にも図柄２を印刷することが望ましく、複数の図柄シート４を用いる場合であっても台紙３にも図柄２を印刷しても良い。
【００２０】
本実施形態では、図柄シート４を２枚重ね合わせて接着したものを用い、台紙３は無地のものを使用している。
具体的には、本実施形態では、上から図柄２として植物及び蝶が印刷された一方の図柄シート４ａ、図柄２として植物が印刷された他方の図柄シート４ｂ、台紙３の順に重ね合わせて接着したものを用いている。
【００２１】
図柄２の印刷は公知の印刷技術を用いることができ、本実施形態では、インクジェット印刷により印刷されている。この印刷に用いられるインクは、シート本体５に弾かれない材質のインクが好ましい。本実施形態では、光を透過するアルコールインク（染料系インク）を用いており、これにより図柄に光が透過し、透明感のある図柄とすることができる。
【００２２】
この図柄２には、任意の色に着色することができ、例えば、印刷時に色彩を変更して印刷しても良いし、図柄２の印刷後に手作業で塗り絵のように色を塗る等の色彩を施しても良い。このとき、図柄が印刷されているインクと同様のインク（本実施形態では、光を透過するインク）を全面に用いてもよいし、異なる種類のインクを用いてもよい。
このように図柄２が印刷されたシート本体５は接着面６により複数枚接着され、重ね合わされた状態で台紙３に接着される。
【００２３】
本考案の観賞用物品１はシート状の部材を重ね合わせて構成されるため、観賞用物品１を額縁や写真立てに入れて展示する、タペストリーやペナント、ポスターのように壁に貼り付けて展示する等、様々な態様で展示することができる。
【００２４】
［考案を実施するための異なる形態］
次に、図４及び図５に示す本考案を実施するための異なる形態につき説明する。なお、これらの本考案を実施するための異なる形態の説明に当って、前記本考案を実施するための第１の形態と同一構成部分には同一符号を付して重複する説明を省略する
図４及び図５に示す本考案を実施するための第２の形態において、前記本考案を実施するための第１の形態と主に異なる点は、図柄２の一部に不透明な着色を施した図柄シート４Ａを用いた点で、このような図柄シート４Ａを用いしても、前記本考案を実施するための第１の形態と同様な作用効果が得られるとともに、着色を施した部分のみ裏面側の図柄シート４の図柄が透過せず、全体が透明な図柄２を用いたものとは異なった美観を得ることができる。
【００２５】
例えば、本実施形態では、蝶の図柄部分にのみ光を透過しないホワイト等のインクで白色に着色している。このように蝶の部分のみ光を透過しないインクで着色することで、その図柄を目立たせることができる。
【産業上の利用可能性】
【００２６】
本考案は観賞用物品を製造する産業で利用される。
【符号の説明】
【００２７】
１、１Ａ：観賞用物品、          ２：図柄、
３：台紙、                      ４、４Ａ：図柄シート、
５：シート本体、                ６：接着面。
【図１】
0003234539.tif 000003
【図２】
0003234539.tif 000004
【図３】
0003234539.tif 000005
【図４】
0003234539.tif 000006
【図５】
0003234539.tif 000007